(57)【要約】      （修正有）【課題】四隅が移行のために巻き付けられ、外観が美しく、鋭い角がなく、それによって潜在的な安全上の危険を排除するストレージメッシュプレートを提供する。【解決手段】第一のロングフレーム１１と第二のロングフレーム１２の一端に第一のショートフレーム１３が設けられ、他端に第二のショートフレーム１４が設けられ、第一のロングフレームが第一のショートフレームと第二のショートフレームに接続され、及び第二のロングフレームが第一のショートフレームと第二のショートフレームに接続されている四隅には、第一の強化防護装飾部品２１、第四の強化防護装飾部品２４、第二の強化防護装飾部品２２と第三の強化防護装飾部品２３がそれぞれ設けられ、第一のショートフレームが第一の強化防護装飾部品と第二の強化防護装飾部品に溶接によって一緒に設けられ又は一体成形され、第二のショートフレームが第三の強化防護装飾部品、第四の強化防護装飾部品と溶接によって一緒に設けられ又は一体成形される。【選択図】図１
0003229872.tif 000002
【実用新案登録請求の範囲】
【請求項１】
強化防護及び装飾機能を備えたストレージメッシュプレートであって、
第一のロングフレーム（１１）と第二のロングフレーム（１２）を含み、前記第一のロングフレーム（１１）と前記第二のロングフレーム（１２）の中央部にメッシュプレート（１５）が設けられ、前記第一のロングフレーム（１１）、前記第二のロングフレーム（１２）及び前記メッシュプレート（１５）が打ち抜き及び引き伸ばしによって一体成形され、前記第一のロングフレーム（１１）と前記第二のロングフレーム（１２）の一端に第一のショートフレーム（１３）が設けられ、他端に第二のショートフレーム（１４）が設けられ、前記第一のロングフレーム（１１）が前記第一のショートフレーム（１３）と前記第二のショートフレーム（１４）に接続され、及び前記第二のロングフレーム（１２）が前記第一のショートフレーム（１３）と前記第二のショートフレーム（１４）に接続されている四隅には、第一の強化防護装飾部品（２１）、第四の強化防護装飾部品（２４）、第二の強化防護装飾部品（２２）及び第三の強化防護装飾部品（２３）がそれぞれ設けられ、前記第一のショートフレーム（１３）が前記第一の強化防護装飾部品（２１）と前記第二の強化防護装飾部品（２２）と溶接によって一緒に設けられ又は一体成形され、前記第二のショートフレーム（１４）が前記第三の強化防護装飾部品（２３）と前記第四の強化防護装飾部品（２４）と溶接によって一緒に設けられ又は一体成形されることを特徴とする強化防護及び装飾機能を備えたストレージメッシュプレート。
【請求項２】
前記第一のロングフレーム（１１）と前記第一のショートフレーム（１３）の接続部に第一のテーパスリーブ（３１）が設けられ、前記第一のショートフレーム（１３）と前記第二のロングフレーム（１２）の接続部に第二のテーパスリーブ（３２）が設けられ、前記第二のロングフレーム（１２）と前記第二のショートフレーム（１４）の接続部に第三のテーパスリーブ（３３）が設けられ、前記第二のショートフレーム（１４）と前記第一のロングフレーム（１１）の接続部に第四のテーパスリーブ（３４）が設けられ、前記第一のテーパスリーブ（３１）の外側に前記第一の強化防護装飾部品（２１）が覆われ、前記第二のテーパスリーブ（３２）の外側に前記第二の強化防護装飾部品（２２）が覆われ、前記第三のテーパスリーブ（３３）の外側に前記第三の強化防護装飾部品（２３）が覆われ、前記第四のテーパスリーブ（３４）の外側に前記第四の強化防護装飾部品（２４）が覆われていることを特徴とする、請求項１に記載の強化防護及び装飾機能を備えたストレージメッシュプレート。
【請求項３】
前記第一の強化防護装飾部品（２１）、前記第二の強化防護装飾部品（２２）、前記第三の強化防護装飾部品（２３）及び前記第四の強化防護装飾部品（２４）の表面には、装飾効果を有するいくつかの第一の突出ポイント（４１）が設けられ、前記第一の強化防護装飾部品（２１）、前記第二の強化防護装飾部品（２２）、前記第三の強化防護装飾部品（２３）及び前記第四の強化防護装飾部品（２４）の上側及び下側の両方には、外側へ突出する第一の打ち抜き凸エッジ（５）が設けられ、又は打ち抜き凸エッジがないことを特徴とする、請求項１に記載の強化防護及び装飾機能を備えたストレージメッシュプレート。
【請求項４】
前記第一のロングフレーム（１１）、前記第二のロングフレーム（１２）、前記第一のショートフレーム（１３）及び前記第二のショートフレーム（１４）の上側及び下側の両方には、外側へ突出する第二の打ち抜き凸エッジ（６）が設けられ、前記第一のロングフレーム（１１）、前記第二のロングフレーム（１２）、前記第一のショートフレーム（１３）及び前記第二のショートフレーム（１４）の側面には装飾効果を有するいくつかの第二の突出ポイント（４２）が設けられていることを特徴とする、請求項１に記載の強化防護及び装飾機能を備えたストレージメッシュプレート。
【請求項５】
前記メッシュプレート（１５）に少なくとも１つの補強リブ（７）が設けられ、前記補強リブ（７）の一端が前記第一のロングフレーム（１１）に溶接され、他端が前記第二のロングフレーム（１２）に溶接され、又は前記補強リブ（７）の一端が前記第一のショートフレーム（１３）に溶接され、他端が前記第二のショートフレーム（１４）に溶接され、前記補強リブ（７）はワイヤ又はパイプであることを特徴とする、請求項１に記載の強化防護及び装飾機能を備えたストレージメッシュプレート。
【請求項６】
前記第一のテーパスリーブ（３１）、前記第二のテーパスリーブ（３２）、前記第三のテーパスリーブ（３３）及び前記第四のテーパスリーブ（３４）の上面及び下面が前記第一のロングフレーム（１１）、前記第二のロングフレーム（１２）、前記第一のショートフレーム（１３）及び前記第二のショートフレーム（１４）の上面及び下面に平行又はそれらよりも高いことを特徴とする、請求項２に記載の強化防護及び装飾機能を備えたストレージメッシュプレート。
【請求項７】
前記第一のテーパスリーブ（３１）、前記第二のテーパスリーブ（３２）、前記第三のテーパスリーブ（３３）及び前記第四のテーパスリーブ（３４）は、中空円錐台形状であり、前記第一のテーパスリーブ（３１）、前記第二のテーパスリーブ（３２）、前記第三のテーパスリーブ（３３）及び前記第四のテーパスリーブ（３４）のテーパが５〜２０度であることを特徴とする、請求項２に記載の強化防護及び装飾機能を備えたストレージメッシュプレート。
【請求項８】
前記メッシュプレート（１５）は、金属引き伸ばしメッシュプレート又は金属織メッシュであり、前記金属引き伸ばしメッシュプレート又は金属織メッシュにはいくつかの穴（１６）が設けられ、前記穴（１６）が菱形又は他の多角形であることを特徴とする、請求項１に記載の強化防護及び装飾機能を備えたストレージメッシュプレート。
【請求項９】
前記第一のロングフレーム（１１）、第二のロングフレーム（１２）、前記第一のショートフレーム（１３）及び前記第二のショートフレーム（１４）の横断面は、「Ｌ」字型、「Ｐ」字型であり、又は「Ｐ」字型であり且つ直線エッジを有することを特徴とする、請求項１に記載の強化防護及び装飾機能を備えたストレージメッシュプレート。
【考案の詳細な説明】
【技術分野】
【０００１】
本実用新案は、ストレージメッシュプレート技術分野に関し、より具体的には、強化防護及び装飾機能を備えたストレージメッシュプレートに関する。
【背景技術】
【０００２】
既存のストレージメッシュプレートは主にフレームとパネルを溶接して形成される。当該ストレージメッシュプレートは、用途が広く、キャビネットの棚として使用されたり、キャビネットやキャビネットドアパネルとして直接使用されたり、また、ブラケットと組み合わせて組み合わせ棚を形成したりすることができる。当該ストレージメッシュプレートは、四辺がフレームで構成されているため、四隅の角が鋭く、人がぶつかるとけがをしやすくなり、一定の潜在的な安全上の危険があるという欠点が存在している。
【考案の概要】
【考案が解決しようとする課題】
【０００３】
本実用新案の目的は、従来技術の上記欠点を克服するように、四隅が移行のために巻き付けられ、外観が美しく、鋭い角がなく、潜在的な安全上の危険が排除される、強化防護及び装飾機能を備えたストレージメッシュプレートを提供することにある。
【課題を解決するための手段】
【０００４】
上記目的を達成するために、本実用新案は、強化防護及び装飾機能を備えたストレージメッシュプレートを提供する。前記ストレージメッシュプレートは、第一のロングフレームと第二のロングフレームを含み、前記第一のロングフレームと第二のロングフレームの中央部にメッシュプレートが設けられ、前記第一のロングフレーム、第二のロングフレームとメッシュプレートが打ち抜き及び引き伸ばしによって一体成形され、前記第一のロングフレームと第二のロングフレームの一端に第一のショートフレームが設けられ、他端に第二のショートフレームが設けられ、前記第一のロングフレームが第一のショートフレームと第二のショートフレームに接続され、及び第二のロングフレームが第一のショートフレームと第二のショートフレームに接続される四隅には、第一の強化防護装飾部品、第四の強化防護装飾部品、第二の強化防護装飾部品と第三の強化防護装飾部品がそれぞれ設けられ、前記第一のショートフレームが第一の強化防護装飾部品、第二の強化防護装飾部品と溶接によって一緒に設けられ又は一体成形され、前記第二のショートフレームが第三の強化防護装飾部品、第四の強化防護装飾部品と溶接によって一緒に設けられ又は一体成形される。
【０００５】
好ましくは、前記第一のロングフレームと第一のショートフレームの接続部に第一のテーパスリーブが設けられ、前記第一のショートフレームと第二のロングフレームの接続部に第二のテーパスリーブが設けられ、前記第二のロングフレームと第二のショートフレームの接続部に第三のテーパスリーブが設けられ、第二のショートフレームと第一のロングフレームの接続部に第四のテーパスリーブが設けられ、前記第一のテーパスリーブの外側に第一の強化防護装飾部品が覆われ、前記第二のテーパスリーブの外側に第二の強化防護装飾部品が覆われ、前記第三のテーパスリーブの外側に第三の強化防護装飾部品が覆われ、第四のテーパスリーブの外側が第四の強化防護装飾部品が覆われている。
【０００６】
好ましくは、前記第一の強化防護装飾部品、第二の強化防護装飾部品、第三の強化防護装飾部品と第四の強化防護装飾部品の表面には、装飾効果を有するいくつかの第一の突出ポイントが設けられ、前記第一の強化防護装飾部品、第二の強化防護装飾部品、第三の強化防護装飾部品と第四の強化防護装飾部品の上側及び下側の両方には、外側へ突出する第一の打ち抜き凸エッジが設けられ、又は打ち抜き凸エッジがない。
【０００７】
好ましくは、前記第一のロングフレーム、第二のロングフレーム、第一のショートフレームと第二のショートフレームの上側及び下側の両方には、外側へ突出する第二の打ち抜き凸エッジが設けられ、前記第一のロングフレーム、第二のロングフレーム、第一のショートフレームと第二のショートフレームの側面には装飾効果を有するいくつかの第二の突出ポイントが設けられている。
【０００８】
好ましくは、前記メッシュプレートに少なくとも１つの補強リブが設けられ、前記補強リブの一端が第一のロングフレームに溶接され、他端が第二のロングフレームに溶接され、又は前記補強リブの一端が第一のショートフレームに溶接され、他端が第二のショートフレームに溶接され、前記補強リブはワイヤ又はパイプである。
【０００９】
好ましくは、前記第一のテーパスリーブ、第二のテーパスリーブ、第三のテーパスリーブと第四のテーパスリーブの上面及び下面が第一のロングフレーム、第二のロングフレーム、第一のショートフレームと第二のショートフレームの上面及び下面に平行又はそれらよりも高い。
【００１０】
好ましくは、前記第一のテーパスリーブ、第二のテーパスリーブ、第三のテーパスリーブと第四のテーパスリーブは、中空円錐台形状であり、前記第一のテーパスリーブ、第二のテーパスリーブ、第三のテーパスリーブと第四のテーパスリーブのテーパが５〜２０度である。
【００１１】
好ましくは、前記メッシュプレートは、金属引き伸ばしメッシュプレート又は金属織メッシュであり、前記金属引き伸ばしメッシュプレート又は金属織メッシュにはいくつかの穴が設けられ、前記穴が菱形又は他の多角形である。
【００１２】
好ましくは、前記第一のロングフレーム、第二のロングフレーム、第一のショートフレームと第二のショートフレームの横断面は、「Ｌ」字型、「Ｐ」字型であり、又は「Ｐ」字型であり且つ直線エッジを有する。
【考案の効果】
【００１３】
従来技術に比べて、本実用新案の有益な効果は次のとおりである：
１、本実用新案のストレージメッシュプレートは、四隅に強化防護装飾部品に設けられ、四隅が移行のために巻き付けられ、鋭い角がなく、潜在的な安全上の危険が排除されるため、外観が美しく、強化防護装飾部品の表面に突出ポイントが設けられ、アンティーク装飾効果を有し、古典的な美しさがあり、消費者の購入意欲を大幅に高める。
【００１４】
２、本実用新案のストレージメッシュプレートは四隅にテーパスリーブが設けられ、ストレージメッシュプレートの組み立て及び調節に有利である。
【００１５】
３、本実用新案では第一の打ち抜き凸エッジ、第二の打ち抜き凸エッジと補強リブが設けられ、ストレージメッシュプレートの負荷能力の向上に役立ち、ストレージメッシュプレートの適用範囲を拡大する。
【００１６】
４、本実用新案では第一のロングフレーム、第二のロングフレームとメッシュプレートが一体成形され、前記ストレージメッシュプレートの上面が滑らか且つ平らであるため、快適性がより高く、貨物の出し入れがより便利となる。
【００１７】
本実用新案の実施例又は従来技術における技術的解決策をより明確に説明するために、以下に実施例又は従来技術の説明に必要な図面を簡単に紹介し、明らかに、以下に説明される図面は本実用新案のいくつかの実施例であり、当業者にとって、創造的な労働をすることなく、これらの図面に基づいて他の図面を得ることができる。
【図面の簡単な説明】
【００１８】
【図１】本実用新案による実施例１における強化防護及び装飾機能を備えたストレージメッシュプレートの正面構造図である。
【図２】図１のＩの拡大図である。
【図３】本実用新案による実施例１における強化防護及び装飾機能を備えたストレージメッシュプレートの裏面構造図である。
【図４】本実用新案による実施例１における強化防護及び装飾機能を備えたストレージメッシュプレートの第二のショートフレームが第三の強化防護装飾部品、第四の強化防護装飾部品と一体成形された構造図である。
【図５】本実用新案による実施例１における強化防護及び装飾機能を備えたストレージメッシュプレートのフレーム本体の断面構造図である。
【図６】本実用新案による実施例２における強化防護及び装飾機能を備えたストレージメッシュプレートの正面構造図である。
【図７】図６のＩＩの拡大図である。
【図８】本実用新案による実施例２における強化防護及び装飾機能を備えたストレージメッシュプレートの裏面構造図である。
【図９】本実用新案による実施例２における強化防護及び装飾機能を備えたストレージメッシュプレートの前記補強リブがショートフレームに組み立てられた正面構造図である。
【図１０】本実用新案による実施例２における強化防護及び装飾機能を備えたストレージメッシュプレートの前記補強リブがショートフレームに組み立てられた裏面構造図である。
【図１１】本実用新案による実施例３における強化防護及び装飾機能を備えたストレージメッシュプレートのフレーム本体の断面構造図である。
【図１２】本実用新案による実施例４における強化防護及び装飾機能を備えたストレージメッシュプレートのフレーム本体の断面構造図である。
【考案を実施するための形態】
【００１９】
以下に本実用新案の本実施形態における図面を組合わせて、本実用新案の本実施形態における技術的解決策を明確且つ完全に説明し、明らかに、説明される本実施形態は、本実用新案の１つの実施形態であるが、全ての本実施形態ではない。本実用新案における実施形態に基づき、当業者が創造的な労働をせずに得れた全ての他の本実施形態は、本実用新案の保護範囲に属する。
【実施例１】
【００２０】
図１〜図３に示すように、本実用新案は強化防護及び装飾機能を備えたストレージメッシュプレートを提供する。前記ストレージメッシュプレートは、第一のロングフレーム１１と第二のロングフレーム１２を含み、前記第一のロングフレーム１１と第二のロングフレーム１２の中央部にメッシュプレート１５が設けられ、前記メッシュプレート１５が金属引き伸ばしメッシュプレート又は金属織メッシュであり、前記金属引き伸ばしメッシュプレート又は金属織メッシュにはいくつかの穴１６が設けられ、前記穴１６が菱形又は他の多角形であり、具体的には、前記メッシュプレート１５はステンレス鋼、鉄等の金属材料で作られ、前記メッシュプレート１５にはいくつかの均一に分布した穴１６が開設され、各穴１６がメッシュプレート１５を貫通し、好ましくは、本実施例では、前記穴１６は菱形であるが、当然のことながら、実際のニーズに応じて、前記穴１６は円形や六角形などの異なる形状に設定されてもよく、本実施形態に限らない。
【００２１】
前記第一のロングフレーム１１、第二のロングフレーム１２とメッシュプレート１５が打ち抜き及び引き伸ばしによって一体成形されるため、ストレージメッシュプレートの上面が滑らか且つ平らであり、快適性がより高く、貨物の出し入れがより便利となり、前記第一のロングフレーム１１と第二のロングフレーム１２の一側に第一のショートフレーム１３が設けられ、他方の側に第二のショートフレーム１４が設けられ、具体的には、前記第一のロングフレーム１１、第二のロングフレーム１２とメッシュプレート１５は一枚の金属プレート又はシートで一体に打ち抜かれて引き伸ばされ、プレート又はシートの中央部がメッシュプレート１５に伸ばされ、前記メッシュプレート１５の両側の金属直線エッジが第一のロングフレーム１１と第二のロングフレーム１２に打ち抜かれ、他の実施例で前記第一のロングフレーム１１、第二のロングフレーム１２とメッシュプレート１５は一体に溶接されてもよく、又は前記第一のショートフレーム１３、第二のショートフレーム１４とメッシュプレート１５は一体成形されてもよく、又は全てのフレームとメッシュプレート１５は一体に溶接されてもよく、本実施例に限られない。
【００２２】
前記第一のロングフレーム１１と第一のショートフレーム１３の接続部に第一の強化防護装飾部品２１が設けられ、前記第一のショートフレーム１３と第二のロングフレーム１２に第二の強化防護装飾部品２２が設けられ、前記第二のロングフレーム１２と第二のショートフレーム１４の接続部に第三の強化防護装飾部品２３が設けられ、前記第二のショートフレーム１４と第一のロングフレーム１１の接続部に第四の強化防護装飾部品２４が設けられ、前記第一の強化防護装飾部品２１、第二の強化防護装飾部品２２、第三の強化防護装飾部品２３、第四の強化防護装飾部品２４の表面には装飾効果を有するいくつかの第一の突出ポイント４１が設けられ、前記ストレージメッシュプレートは、四隅が移行のために巻き付けられ、外観が美しく、鋭い角がなく、潜在的な安全上の危険が排除され、装飾部品の表面に突出ポイントが設けられ、古典的な美しさがあり、消費者の購入意欲を大幅に高める。
【００２３】
前記第一のショートフレーム１３は第一の強化防護装飾部品２１と第二の強化防護装飾部品２２と一体成形され、図４を参照し、図４は第二のショートフレーム１４が第三の強化防護装飾部品２３、第四の強化防護装飾部品２４と一体成形された構造図である。一体成形により、製造効率が高く、材料浪費と材料コストを削減でき、表面が美しい。
【００２４】
本実施例１では別の接続方法がさらに提供される。図１と図２に示すように、前記第一の強化防護装飾部品２１は、溶接によって一端が第一のロングフレーム１１の表面に接続され、他端が第一のショートフレーム１３の表面に接続され、前記第二の強化防護装飾部品２２は、溶接によって一端が第一のショートフレーム１３の表面に接続され、他端が第二のロングフレーム１２の表面に接続され、前記第三の強化防護装飾部品２３は、溶接によって一端が第二のロングフレーム１２の表面に接続され、他端が第二のショートフレーム１４の表面に接続され、前記第四の強化防護装飾部品２４は、溶接によって一端が第二のショートフレーム１４の表面に接続され、他端が第一のロングフレーム１１の表面に接続され、溶接成形プロセスは簡単であり且つコストが低く、それによって製造が容易である。
【００２５】
前記第一の強化防護装飾部品２１、第二の強化防護装飾部品２２、第三の強化防護装飾部品２３と第四の強化防護装飾部品２４の上側及び下側の両方には外側へ突出する第一の打ち抜き凸エッジ５が設けられ、又は打ち抜き凸エッジがなく、前記第一のロングフレーム１１、第二のロングフレーム１２、第一のショートフレーム１３と第二のショートフレーム１４の上側及び下側の両方には、外側へ突出する第二の打ち抜き凸エッジ６が設けられ、前記第一のロングフレーム１１、第二のロングフレーム１２、第一のショートフレーム１３と第二のショートフレーム１４の滑らかな側面には装飾効果を有するいくつかの第二の突出ポイント４２が設けられ、アンティーク装飾効果を有し、古典的な美しさがあり、第一の打ち抜き凸エッジ５と第二の打ち抜き凸エッジ６が設けられ、ストレージメッシュプレートの負荷能力の向上に役立ち、ストレージメッシュプレートの適用範囲を拡大し、前記ストレージメッシュプレートの負荷能力をさらに高めるために、前記メッシュプレート１５には少なくとも１つの補強リブ７が設けられ、前記補強リブ７は一端が第一のロングフレーム１１に溶接され、他端が第二のロングフレーム１２に溶接され、又は前記補強リブ１７は、一端が第一のショートフレーム１３に溶接され、他端が第二のショートフレーム１４に溶接され、前記補強リブ７はワイヤ又はパイプである。
【００２６】
図５を参照すると、図５はフレーム本体の断面構造図であり、前記第一のロングフレーム１１、第二のロングフレーム１２、第一のショートフレーム１３と第二のショートフレーム１４の横断面が「Ｌ」字型である。
【実施例２】
【００２７】
図６から図８を参照すると、本実用新案の実施例２では強化防護及び装飾機能を備えたストレージメッシュプレートが提供される。本実施例２で説明されるストレージメッシュプレートの構造は、上記実施例１で説明されるストレージメッシュプレートの構造とほぼ同じであり、ここでは同じ点について説明を省略し、相違点としては、前記第一のロングフレーム１１と第一のショートフレーム１３の接続部に第一のテーパスリーブ３１が設けられ、前記第一のショートフレーム１３と第二のロングフレーム１２の接続部に第二のテーパスリーブ３２が設けられ、前記第二のロングフレーム１２と第二のショートフレーム１４の接続部に第三のテーパスリーブ３３が設けられ、前記第二のショートフレーム１４と第一のロングフレーム１１の接続部に第四のテーパスリーブ３４が設けられ、前記ストレージメッシュプレートの四隅にテーパスリーブが設けられ、ストレージメッシュプレートの組み立て及び調節に有利であり、円形ブラケットがテーパスリーブの内部に挿入されるため、ストレージメッシュプレートは、組み合わせ棚に速く組合わせられてもよく、迅速な分解及組み立てやすい。
【００２８】
第一のロングフレーム１１と第二のロングフレーム１２が長すぎる場合、第一のロングフレーム１１と第二のロングフレーム１２の間には１つ又は複数のテーパスリーブと強化防護装飾部品が設けられてもよく、図９と図１０に示すように、ストレージメッシュプレートの強さと組み合わせ棚の強さを増大するために、前記補強リブ７は、一端が第一のショートフレーム１３に溶接され、他端が第二のショートフレーム１４に溶接され、これにより、ストレージメッシュプレートの負荷能力をさらに高めることに役立ち、ストレージメッシュプレートの適用範囲を拡大する。
【００２９】
前記第一のショートフレーム１３は第一の強化防護装飾部品２１と第二の強化防護装飾部品２２と一体成形され、前記第一の強化防護装飾部品２１が第一のテーパスリーブ３１の外面に被覆され、前記第二の強化防護装飾部品２２が第二のテーパスリーブ３２の外面に被覆され、前記第二のショートフレーム１４は、第三の強化防護装飾部品２３と第四の強化防護装飾部品２４と一体成形され、前記第三の強化防護装飾部品２３が第三のテーパスリーブ３３の外面に被覆され、前記第四の強化防護装飾部品２４が第四のテーパスリーブ３４の外面に被覆され、一体成形により、製造効率が高く、材料の浪費と材料コストを削減でき、表面が美しい。
【００３０】
本実施例２では別の接続方法が提供される。図６と図７に示すように、前記第一のテーパスリーブ３１は、第一のロングフレーム１１と第一のショートフレーム１３との間に溶接され、前記第一の強化防護装飾部品２１は、溶接によって第一のテーパスリーブ３１の表面に被覆され、前記第二のテーパスリーブ３２は、第一のショートフレーム１３と第二のロングフレーム１２との間に溶接され、前記第二の強化防護装飾部品２２は、溶接によって第二のテーパスリーブ３２の表面に被覆され、前記第三のテーパスリーブ３３は、第二のロングフレーム１２と第二のショートフレーム１４との間に溶接され、前記第三の強化防護装飾部品２３は、溶接によって第三のテーパスリーブ３３の表面に被覆され、前記第四のテーパスリーブ３４は、第二のショートフレーム１４と第一のロングフレーム１１との間に溶接され、前記第四の強化防護装飾部品２４は溶接によって第四のテーパスリーブ３４の表面に被覆され、溶接成形プロセスは簡単であり、コストが低く、それによって製造が容易である。
【００３１】
前記第一のテーパスリーブ３１、第二のテーパスリーブ３２、第三のテーパスリーブ３３と第四のテーパスリーブ３４の上面及び下面が第一のロングフレーム１１、第二のロングフレーム１２、第一のショートフレーム１３と第二のショートフレーム１４の上面及び下面に平行又はそれらよりも高い。
【００３２】
前記第一のテーパスリーブ３１、第二のテーパスリーブ３２、第三のテーパスリーブ３３と第四のテーパスリーブ３４は中空円錐台形状であり、前記第一のテーパスリーブ３１、第二のテーパスリーブ３２、第三のテーパスリーブ３３と第四のテーパスリーブ３４のテーパが５〜２０度であり、これにより、ストレージメッシュプレートと円形ブラケットの間の迅速な組み合わせが容易になり、組み合わせ棚に組合わせられ、これにより、組み合わせ棚の迅速な分解と組み立て及び位置決めが容易になる。
【実施例３】
【００３３】
図１１を参照すると、本実用新案の実施例３では強化防護及び装飾機能を備えたストレージメッシュプレートが提供される。本実施例３で説明されるストレージメッシュプレートの構造は上記実施例２で説明されるストレージメッシュプレートの構造とほぼ同じであり、ここでは同じ点について説明を省略し、相違点としては、前記第一のロングフレーム１１、第二のロングフレーム１２、第一のショートフレーム１３と第二のショートフレーム１４の横断面が「Ｐ」字型であり、前記横断面には、横断面を「Ｐ」字型に接続する第一の溶接スポット８が設けられている。
【実施例４】
【００３４】
図１２を参照すると、本実用新案の実施例４では強化防護及び装飾機能を備えたストレージメッシュプレートが提供される。本実施例４で説明されるストレージメッシュプレートの構造は上記実施例２で説明されるストレージメッシュプレートの構造とほぼ同じであり、ここでは同じ点について説明を省略し、相違点としては、前記第一のロングフレーム１１、第二のロングフレーム１２、第一のショートフレーム１３と第二のショートフレーム１４の横断面が「Ｐ」字型であり且つ直線エッジを有し、前記直線エッジには、横断面を「Ｐ」字型に接続する第二の溶接スポット９が設けられている。
【００３５】
ここでは、上述したフレームの横断面が混在してもよいことは説明すべきであり、当然、本実用新案で説明されるフレームの横断面は実際のニーズに応じて変更されてもよく、上記実施例に限定されない。
【００３６】
上述したように、本実用新案の有益な効果は次のとおりである：
本実用新案のストレージメッシュプレートは、四隅には強化防護装飾部品が設けられ、四隅が移行のために巻き付けられ、鋭い角がなく、潜在的な安全上の危険が排除されるため、外観が美しく、強化防護装飾部品の表面に装飾効果を有するいくつかの第一の突出ポイント４１が設けられ、アンティーク装飾効果を有し、古典的な美しさがあり、消費者の購入意欲を大幅に高める。本実用新案のストレージメッシュプレートの四隅にはテーパスリーブが設けられ、ストレージメッシュプレートの組み立てと調節に役立つ。本実用新案では、第一の打ち抜き凸エッジ５、第二の打ち抜き凸エッジ６と補強リブ７が設けられ、ストレージメッシュプレートの負荷能力を高めることに役立ち、ストレージメッシュプレートの適用範囲を拡大する。本実用新案では第一のロングフレーム１１、第二のロングフレーム１２とメッシュプレート１５が一体成形され、前記ストレージメッシュプレートの上面が滑らかで平らであり、快適性がより高く、貨物の出し入れがより便利となる。
【００３７】
上記実施例は本実用新案の好ましい実施形態であるが、本実用新案の実施形態は、上記実施例の制限を受けなく、本実用新案の精神及び原理から逸脱せずに行われた他のいずれかの変更、修正、置換、組み合わせ、簡略化はいずれも同等の置換方式であるべきであり、全て本実用新案の保護範囲に含まれる。
【符号の説明】
【００３８】
１１  第一のロングフレーム
１２  第二のロングフレーム
１３  第一のショートフレーム
１４  第二のショートフレーム
１５  メッシュプレート
１６  穴
２１  第一の強化防護装飾部品
２２  第二の強化防護装飾部品
２３  第三の強化防護装飾部品
２４  第四の強化防護装飾部品
３１  第一のテーパスリーブ
３２  第二のテーパスリーブ
３３  第三のテーパスリーブ
３４  第四のテーパスリーブ
４１  第一の突出ポイント
４２  第二の突出ポイント
５  第一の打ち抜き凸エッジ
６  第二の打ち抜き凸エッジ
７  補強リブ
８  第一の溶接スポット
９  第二の溶接スポット
【図１】
0003229872.tif 000003
【図２】
0003229872.tif 000004
【図３】
0003229872.tif 000005
【図４】
0003229872.tif 000006
【図５】
0003229872.tif 000007
【図６】
0003229872.tif 000008
【図７】
0003229872.tif 000009
【図８】
0003229872.tif 000010
【図９】
0003229872.tif 000011
【図１０】
0003229872.tif 000012
【図１１】
0003229872.tif 000013
【図１２】
0003229872.tif 000014